(57)【要約】【課題】  一対のキャビネットを互いに開閉可能に連結して構成される折り畳み式携帯端末機において、ハウリングの発生を防止する。【解決手段】  本発明に係る折り畳み式携帯端末機は、マイクロフォン14を具えた本体キャビネット１と第１及び第２スピーカ41、42を具えた蓋体キャビネット２とを互いに開閉可能に連結して構成され、蓋体キャビネット２の内部には、蓋体キャビネット２を形成する内面キャビネット半体28から背面キャビネット半体29に向けて突出するリブ25と、該リブ25と背面キャビネット半体29の間に介在するウレタン製のクッション部材43とが配備され、第１スピーカ41を収容する第１収容部46と第２スピーカ42を収容する第２収容部47とを仕切る仕切り壁が形成されている。【選択図】      図４
2005142974.tif 000002
【特許請求の範囲】
【請求項１】
本体キャビネット(１)と蓋体キャビネット(２)が互いに開閉可能に連結され、蓋体キャビネット(２)には第１スピーカ(41)が配備され、蓋体キャビネット(２)の内面には、第１スピーカ(41)と対向する位置に、該第１スピーカ(41)から発せられる音波を通過させるための１或いは複数の放音孔(22a)が開設されており、本体キャビネット(１)の内面には、両キャビネット(１)(２)を閉じた状態で前記放音孔(22a)と対向することとなる位置に、１或いは複数の開口(12a)が開設されており、本体キャビネット(１)には、前記開口(12a)に向けてマイクロフォン(14)が配備されている折り畳み式携帯端末機において、
蓋体キャビネット(２)には、その背面側に向けて音波を発する第２スピーカ(42)が配備されており、蓋体キャビネット(２)の内部には、第１スピーカ(41)が配備された第１領域と第２スピーカ(42)が配備された第２領域との間に、これら２つの領域を仕切る仕切り壁が形成されていることを特徴とする折り畳み式携帯端末機。
【請求項２】
前記仕切り壁は、蓋体キャビネット(２)内部の互いに対向する２つの内壁の内、一方の内壁から他方の内壁に向けて突出するリブ(25)と、該リブ(25)の先端部と他方の内壁の間に介在するクッション部材(43)とによって形成されている請求項１に記載の折り畳み式携帯端末機。
【請求項３】
蓋体キャビネット(２)は、蓋体キャビネット(２)の内面を形成する内面キャビネット半体(28)と、蓋体キャビネット(２)の背面を形成する背面キャビネット半体(29)とを互いに接合して構成され、前記仕切り壁は、内面キャビネット半体(28)に突設された第１突出部(26)と、背面キャビネット半体(29)に突設されて第１突出部(26)と対向する第２突出部(27)と、両突出部(26)(27)の間に介在するシール部材(44)とによって形成されている請求項１に記載の折り畳み式携帯端末機。
【発明の詳細な説明】
【技術分野】
【０００１】
本発明は、折り畳み式携帯電話機の如く、一対の扁平なキャビネットを互いに開閉可能に連結して構成される折り畳み式携帯端末機に関するものである。
【背景技術】
【０００２】
近年、折り畳み式携帯電話機においては、小型化や薄型化が進むと共に多機能化が進んでおり、両キャビネットを閉じた状態でも通話やメールの送受信が可能な折り畳み式携帯電話機の開発が進んでいる(例えば特許文献１〜特許文献３参照)。
【０００３】
両キャビネットを閉じた状態でも通話を行なうことが可能な折り畳み式携帯電話機として、例えば図９及び図１０に示す折り畳み式携帯電話機が提案されている。
該折り畳み式携帯電話機は、本体キャビネット(８)と蓋体キャビネット(９)をヒンジ機構(83)を介して互いに開閉可能に連結して構成されており、本体キャビネット(８)の内面には複数の操作キー(81)と送話部(82)が配備され、本体キャビネット(８)の内部には、送話部(82)に向けてマイクロフォン(84)が配備されている。
蓋体キャビネット(９)の内面には、メインディスプレイ(91)が配備されると共に、両キャビネット(８)(９)を閉じた状態で送話部(82)と対向することとなる位置に第１受話部(92)が配備されており、蓋体キャビネット(９)の背面には、第２受話部(93)が配備されている。又、蓋体キャビネット(９)の内部には、第１受話部(92)に向けて第１スピーカ(94)が配備されると共に、第２受話部(93)に向けて第２スピーカ(95)が配備されている。
又、本体キャビネット(８)の送話部(82)の近傍には、第１凸部(85)が突設されると共に、蓋体キャビネット(９)には、第１受話部(92)の近傍に第２凸部(96)が突設されており、両凸部(85)(96)は、両キャビネット(８)(９)を閉じた状態で互いに当接する。
【０００４】
該折り畳み式携帯電話機において、図１０に示す如く両キャビネット(８)(９)を閉じた場合、キャビネット開閉検知器(図示省略)によって両キャビネット(８)(９)を閉じたことが検知され、該検知に基づく検知信号が制御回路(図示省略)に供給される。制御回路は、前記検知信号に応じて、マイクロフォン(84)及び第２スピーカ(95)を機能させる。これによって、両キャビネット(８)(９)を閉じた状態で送受話が可能となる。従って、着信時に両キャビネット(８)(９)を開く必要はない。
【特許文献１】特開２００３−１８２５７号公報[H04M1／02]
【特許文献２】特開２００３−５１８７１号公報[H04M1／02]
【特許文献３】特開２００３−１３４２０１号公報[H04M1／02]
【発明の開示】
【発明が解決しようとする課題】
【０００５】
しかしながら、該折り畳み式携帯電話機において、図１０に示す如く両キャビネット(８)(９)を閉じた状態で送受話を行なう場合、第２スピーカ(95)の振動が蓋体キャビネット(９)の内部の空気を介して第１スピーカ(94)に伝達され、これによって第１スピーカ(94)が振動するため、第１スピーカ(94)からは、第２スピーカ(95)から発せられる音波に近似した波形を有する音波が発せられることとなる。ここで、第１スピーカ(94)は、第１受話部(92)及び送話部(82)を介してマイクロフォン(84)と対向しているため、第１スピーカ(94)から発せられる音波がマイクロフォン(84)に伝わることとなり、この結果、第１スピーカ(94)を介して第２スピーカ(95)とマイクロフォン(84)の間で音響伝達経路のループが形成される。これによって、第２スピーカ(95)から発せられた通話相手の音声がマイクロフォン(84)に伝わり、該音声が通話相手に送信される現象、即ちハウリングが発生することとなり、通話相手に不快感を与える問題があった。
【０００６】
そこで本発明の目的は、一対のキャビネットを連結して構成される折り畳み式携帯端末機において、一方のキャビネットに配備された一対のスピーカの内、一方のスピーカが振動した場合に、該振動に伴って他方のスピーカが振動することのない折り畳み式携帯端末機を提供することである。
【課題を解決するための手段】
【０００７】
本発明に係る折り畳み式携帯端末機においては、本体キャビネット(１)と蓋体キャビネット(２)が互いに開閉可能に連結されており、蓋体キャビネット(２)には第１スピーカ(41)が配備され、蓋体キャビネット(２)の内面には、第１スピーカ(41)と対向する位置に、該第１スピーカ(41)から発せられる音波を通過させるための１或いは複数の放音孔(22a)が開設されている。又、本体キャビネット(１)の内面には、両キャビネット(１)(２)を閉じた状態で前記放音孔(22a)と対向することとなる位置に、１或いは複数の開口(12a)が開設されており、本体キャビネット(１)には、前記開口(12a)に向けてマイクロフォン(14)が配備されている。更に、蓋体キャビネット(２)には、その背面側に向けて音波を発する第２スピーカ(42)が配備されており、蓋体キャビネット(２)の内部には、第１スピーカ(41)が配備された第１領域と第２スピーカ(42)が配備された第２領域の間に、これら２つの領域を仕切る仕切り壁が形成されている。
【０００８】
上記本発明に係る折り畳み式携帯端末機においては、両キャビネット(１)(２)を閉じることにより、本体キャビネット(１)のマイクロフォン(14)と蓋体キャビネット(２)の第１スピーカ(41)が、開口(12a)及び放音孔(22a)を介して互いに対向することとなる。このとき、マイクロフォン(14)と第２スピーカ(42)が共に本体キャビネット(１)の背面側とは反対側を向いており、この状態でマイクロフォン(14)及び第２スピーカ(42)を機能させることにより、ユーザは、両キャビネット(１)(２)を閉じた場合にも、マイクロフォン(14)及び第２スピーカ(42)を手前に向けて送受話を行なうことが出来る。
【０００９】
このとき、第２スピーカ(42)の振動によって、蓋体キャビネット(２)内部の第２領域内の空気が振動することとなるが、両スピーカ(41)(42)の間には、仕切り壁が介在しており、第２領域から第１領域に向かう振動は、仕切り壁によって遮断されるため、第２スピーカ(42)の振動に伴って第１スピーカ(41)が振動することはない。
【００１０】
両キャビネット(１)(２)を開いた状態において、マイクロフォン(14)と第１スピーカ(41)を機能させることにより、ユーザは、前記開口(12a)に口元を近づけると共に放音孔(22a)に耳元を近づて送受話を行なうことが出来る。
【００１１】
具体的構成において、前記仕切り壁は、蓋体キャビネット(２)内部の互いに対向する２つの内壁の内、一方の内壁から他方の内壁に向けて突出するリブ(25)と、該リブ(25)の先端部と他方の内壁の間に介在するクッション部材(43)とによって形成されている。
該具体的構成において、第２スピーカ(42)の振動に伴う第２領域内の空気の振動は、仕切り壁を形成するクッション部材(43)の弾性によって効果的に吸収される。
【００１２】
他の具体的構成において、蓋体キャビネット(２)は、蓋体キャビネット(２)の内面を形成する内面キャビネット半体(28)と、蓋体キャビネット(２)の背面を形成する背面キャビネット半体(29)とを互いに接合して構成され、前記仕切り壁は、内面キャビネット半体(28)に突設された第１突出部(26)と、背面キャビネット半体(29)に突設されて第１突出部(26)と対向する第２突出部(27)と、両突出部(26)(27)の間に介在するシール部材(44)とによって形成されている。
【００１３】
該具体的構成においては、両突出部(26)(27)によってシール部材(44)を挟圧することにより、両突出部(26)(27)はシール部材(44)に密着し、両突出部(26)(27)とシール部材(44)の間に隙間が存在することはない。
【発明の効果】
【００１４】
本発明に係る折り畳み式携帯端末機においては、一方のキャビネットに配備された一対のスピーカの内、一方のスピーカが振動した場合、該振動に伴って他方のスピーカが振動することはなく、一方のスピーカと他方のキャビネットに配備されたマイクロフォンとの間で音響伝達経路のループが形成されることはないので、ハウリングが発生することはない。
【発明を実施するための最良の形態】
【００１５】
以下、本発明を折り畳み式携帯電話機に実施した形態につき、図面に沿って具体的に説明する。
第１実施例
本実施例の折り畳み式携帯電話機は、図１及び図２に示す如く、本体キャビネット(１)にヒンジ機構(３)を介して蓋体キャビネット(２)を連結して構成され、本体キャビネット(１)の内面と蓋体キャビネット(２)の内面を互いに対向させて両キャビネット(１)(２)を折り畳むことが可能となっている。蓋体キャビネット(２)は、内面キャビネット半体(28)と背面キャビネット半体(29)を接合して構成されており、本体キャビネット(１)も蓋体キャビネット(２)と同様の構成を有している。
【００１６】
図１に示す如く、本体キャビネット(１)の内面には、複数の操作キー(11)が配備されると共に、該操作キー(11)の下方に送話部(12)が凹設され、該送話部(12)には、本体キャビネット(１)の内面側から内部に向けて貫通した開口(12a)が形成されており、該本体キャビネット(１)の内部には、前記開口(12a)に向けてマイクロフォン(14)が配備されている。又、本体キャビネット(１)の側面には、図１及び図３に示す如く、複数のサイドキー(13)が配備されている。
【００１７】
図１に示す如く、蓋体キャビネット(２)の内面には、メイン画面(21)が配備され、該メイン画面(21)の上方には、両キャビネット(１)(２)を閉じた状態で送話部(12)と対向することとなる位置に、放音孔(22a)が開設された受話部(22)が配備されている。
【００１８】
図２に示す如く、蓋体キャビネット(２)の背面には、サブ画面(23)が配備されると共に、該サブ画面(23)とヒンジ機構(３)との間には、複数の貫通孔(24a)が開設された放音部(24)が配備されている。
【００１９】
蓋体キャビネット(２)を形成する内面キャビネット半体(28)と背面キャビネット半体(29)の間には、図３〜図５に示す如く、ディスプレイアセンブリ(５)が配備され、該ディスプレイアセンブリ(５)の上方には、蓋体キャビネット(２)内面の受話部(22)に向けて第１スピーカ(41)が配備されている。
図４に示す如く、ディスプレイアセンブリ(５)は、金属製のフレーム(50)の内面にメイン液晶表示装置(51)を設置すると共に、フレーム(50)の背面にサブ液晶表示装置(52)を設置して構成されており、メイン液晶表示装置(51)は内面キャビネット半体(28)に配備されたメイン画面(21)と対向すると共に、サブ液晶表示装置(52)は背面キャビネット半体(29)に配備されたサブ画面(23)と対向している。又、サブ液晶表示装置(52)の下方には、蓋体キャビネット(２)背面の放音部(24)に向けて第２スピーカ(42)が配備されている。
【００２０】
又、図５に示す如く、サブ液晶表示装置(52)から引き出されたフレキシブルリード(53)は、ディスプレイアセンブリ(５)の上端部を覆ってフレーム(50)と内面キャビネット半体(28)の間を伸び、その先端部がメイン液晶表示装置(51)に接続されている。又、ディスプレイアセンブリ(５)の上端部には、図３及び図５に示す如く、フレキシブルリード(53)に当接して該フレキシブルリード(53)を覆うと共に背面キャビネット半体(29)の内壁に当接するウレタン製のクッション部材(43)が配備されている。
【００２１】
図５に示す如く、内面キャビネット半体(28)には、ディスプレイアセンブリ(５)と第１スピーカ(41)の間に介在して蓋体キャビネット(２)の両側部と交差する方向に伸びるリブ(25)が、背面キャビネット半体(29)に向けて突設されており、該リブ(25)の先端部と背面キャビネット半体(29)の内壁によって、前記クッション部材(43)が挟圧されて保持されている。又、第１スピーカ(41)から伸びる一対の信号線(45)(45)は、リブ(25)に形成された一対の貫通孔(25a)(25a)を貫通して、図４に示す本体キャビネット(１)内部の基板アセンブリ(15)まで伸びている。ここで、図５に示す貫通孔(25a)の内径は、信号線(45)の外径と略同一の大きさを有しており、貫通孔(25a)と信号線(45)の間に隙間は存在しない。
この様にして、蓋体キャビネット(２)の内部には、リブ(25)とクッション部材(43)からなる仕切り壁が形成されることとなり、該仕切り壁によって、蓋体キャビネット(２)の内部は、第１スピーカ(41)が配備された第１収容部(46)と、第２スピーカ(42)を含むディスプレイアセンブリ(５)が配備された第２収容部(47)に分割されている。
【００２２】
上記本発明の折り畳み式携帯電話機においては、図１に示す如く両キャビネット(１)(２)を開いた状態で、送受話、メールの送受信及び送信メールの作成を行なうことが出来る。
両キャビネット(１)(２)を開くことにより、蓋体キャビネット(２)内面のメイン画面(21)及び受話部(22)が露出すると共に、本体キャビネット(１)内面の操作キー(11)及び送話部(12)が露出する。このとき、キャビネット開閉検知器(図示省略)によって両キャビネット(１)(２)の開き状態が検知され、該検知に基づく検知信号が制御回路(図示省略)に供給される。制御回路は、前記検知信号に応じて、マイクロフォン(14)及び第１スピーカ(41)を機能させる。
【００２３】
この結果、着信時には、メイン画面(21)に相手の電話番号や氏名が表示され、これに応じて操作キー(11)によるオフフック操作を行なうことによって通話可能状態となり、ユーザは、受話部(22)を耳元に近づけると共に送話部(12)を口元に近づけて該着信に応答することが出来る。
【００２４】
又、メールの受信時には、操作キー(11)を操作することにより、メイン画面(21)に該受信メールの内容を表示してその内容を確認することが出来る。メール作成時には、操作キー(11)を操作することにより、メイン画面(21)にユーザが作成した文章が表示される。
【００２５】
上記本実施例の折り畳み式携帯電話機をポケットや鞄に入れて携帯する場合には、図１の如く両キャビネット(１)(２)を開いた状態から両キャビネット(１)(２)を折り畳み、図２の如く両キャビネット(１)(２)を閉じる。これによって、図１に示すメイン画面(21)及び複数の操作キー(11)は両キャビネット(１)(２)の内側に隠れることになる。この際、メイン画面(21)が外力の作用によって破損する虞はなく、又、複数の操作キー(11)が外力の作用により押圧されて誤作動が生じる虞はない。
又、図３に示す如く、送話部(12)は凹設されているので、蓋体キャビネット(２)の内面によって該送話部(12)の開口(12a)が塞がれてしまうことはない。
【００２６】
この状態でサイドキー(13)を押下してハンズフリーモードに設定することにより、閉じ状態の折り畳み式携帯電話機を手で保持することなく、机の上に置いた状態で送受話を行なうことが可能である。ここで、本体キャビネット(１)の背面を机の表面に接触させて両キャビネット(１)(２)を机の上に置くことにより、放音部(24)及び送話部(12)は、ユーザと対向することとなる。
このとき、キャビネット開閉検知器によって両キャビネット(１)(２)の閉じ状態が検知され、該検知に基づく検知信号が制御回路に供給される。制御回路は、前記検知信号と、ハンズフリーモードに設定されたことに応じて、マイクロフォン(14)と第２スピーカ(42)を機能させる。
【００２７】
この結果、着信時には、図２に示す第２スピーカ(42)から放音される通信相手の音声が放音部(24)の複数の貫通孔(24a)を通過してユーザに向けて発せられると共に、送話部(12)の開口(12a)を通過したユーザの音声がマイクロフォン(14)に伝わって通信相手に送信されて、送受話が行なわれる。
【００２８】
このとき、第２スピーカ(42)の振動に伴って、図４に示す蓋体キャビネット(２)の第２収容部(47)内の空気が振動する。ここで、第２収容部(47)から第１収容部(46)に向かう振動は、前記仕切り壁を形成するリブ(25)によって反射され、或いはクッション部材(43)の弾性によって吸収される。このため、第２収容部(47)内の空気の振動が第１収容部(46)内の第１スピーカ(41)に達することはない。
【００２９】
上述の如く、上記折り畳み式携帯電話機によれば、第２スピーカ(42)の振動に伴って第１スピーカ(41)が振動することはないので、第２スピーカ(42)とマイクロフォン(14)の間で第１スピーカ(41)を介した音響伝達経路のループが形成されることはない。従って、ハウリングが発生することはなく、良好な通話状態でハンズフリーによる送受話が可能である。
【００３０】
第２実施例
図６〜図８に示す本実施例の折り畳み式携帯電話機は、仕切り壁の構造において上記第１実施例と異なるが、他の構造は第１実施例と同じであるので、仕切り壁の構造についてのみ説明し、他の構造については同じ符号を付して説明を省略する。
【００３１】
本実施例の折り畳み式携帯電話機において、蓋体キャビネット(２)を構成する内面キャビネット半体(28)には、図６に示す如く、ディスプレイアセンブリ(５)と第１スピーカ(41)の間に介在して蓋体キャビネット(２)の両側部と交差する方向に伸びる平板状の第１突出部(26)が、背面キャビネット半体(29)に向けて突設されており、背面キャビネット半体(29)には、図８に示す如く、第１突出部(26)と対向する位置に、蓋体キャビネット(２)の両側部と交差する方向に伸びる第２突出部(27)が、内面キャビネット半体(28)に向けて突設されている。該第２突出部(27)は、一対の凸条部(27a)(27a)によって形成され、一方の凸条部(27a)は、第１突出部(26)よりも僅かに第１スピーカ(41)側に位置すると共に、他方の凸条部(27a)は、第１突出部(26)よりも僅かにディスプレイアセンブリ(５)側に位置している。
【００３２】
又、両突出部(26)(27)の間には、第１突出部(26)の先端部を覆うシール部材(44)が介在しており、両キャビネット半体(28)(29)を互いに接合することにより、シール部材(44)の中央部が第１突出部(26)によって背面キャビネット半体(29)に向けて押圧されると共に、第２突出部(27)の一対の凸条部(27a)(27a)によってシール部材(44)の両端部が内面キャビネット半体(28)に向けて押圧され、この結果、シール部材(44)が両突出部(26)(27)によって挟圧されることとなる。これによって、両突出部(26)(27)とシール部材(44)とが互いに密着し、両突出部(26)(27)とシール部材(44)の間に隙間が存在することはない。
【００３３】
又、第１スピーカ(41)から伸びる一対の信号線(45)(45)は、図６に示す如く、第１突出部(26)を貫通して形成されたボックス(45b)を貫通して、図７に示す本体キャビネット(１)内部の基板アセンブリ(15)まで伸びている。
この様にして、蓋体キャビネット(２)の内部には、両突出部(26)(27)とシール部材(44)からなる仕切り壁が形成され、蓋体キャビネット(２)の内部は、該仕切り壁によって、第１スピーカ(41)を収容する第１収容部(46)と、第２スピーカ(42)を含むディスプレイアセンブリ(５)を収容する第２収容部(47)に分割されている。
【００３４】
上記本実施例の折り畳み式携帯電話機において、両スピーカ(41)(42)の間には、両収容部(46)(47)を隙間なく仕切る仕切り壁が形成されているので、両キャビネット(１)(２)を閉じた状態で第２スピーカ(42)とマイクロフォン(14)を機能させた場合にも、第２スピーカ(42)からの振動が第１収容部(46)に伝達されることはない。従って、第２スピーカ(42)とマイクロフォン(14)の間で第１スピーカ(41)を介した音響伝達経路のループが形成されることはなく、ハウリングが発生することはない。
【図面の簡単な説明】
【００３５】
【図１】本発明に係る第１実施例の折り畳み式携帯電話機の開き状態の斜視図である。
【図２】該折り畳み式携帯電話機の閉じ状態の斜視図である。
【図３】該折り畳み式携帯電話機の蓋体キャビネットの内部を露出させて示す斜視図である。
【図４】該折り畳み式携帯電話機の断面図である。
【図５】該折り畳み式携帯電話機の要部を拡大して示す断面図である。
【図６】本発明に係る第２実施例の折り畳み式携帯電話機の蓋体キャビネットの内部を露出させて示す斜視図である。
【図７】該折り畳み式携帯電話機の断面図である。
【図８】該折り畳み式携帯電話機の要部を拡大して示す断面図である。
【図９】従来の折り畳み式携帯電話機の開き状態の断面図である。
【図１０】該折り畳み式携帯電話機の閉じ状態の断面図である。
【符号の説明】
【００３６】
(１)  本体キャビネット
(11)  操作キー
(12)  送話部
(14)  マイクロフォン
(２)  蓋体キャビネット
(21)  メイン画面
(22)  受話部
(23)  サブ画面
(24)  放音部
(25)  リブ
(26)  第１突出部
(27)  第２突出部
(28)  内面キャビネット半体
(29)  背面キャビネット半体
(３)  ヒンジ機構
(41)  第１スピーカ
(42)  第２スピーカ
(43)  クッション部材
(44)  シール部材
(46)  第１収容部
(47)  第２収容部
(５)  ディスプレイアセンブリ
【図１】
2005142974.tif 000003
【図２】
2005142974.tif 000004
【図３】
2005142974.tif 000005
【図４】
2005142974.tif 000006
【図５】
2005142974.tif 000007
【図６】
2005142974.tif 000008
【図７】
2005142974.tif 000009
【図８】
2005142974.tif 000010
【図９】
2005142974.tif 000011
【図１０】
2005142974.tif 000012